(57)【特許請求の範囲】
【請求項１】
道路案内機能を備えたナビゲーション手段と、
オーディオデータを再生する機能を備えたオーディオ手段と、
ディスプレイと、
ナビゲーション手段の実行時にナビゲーションに必要なナビゲーション画像をディスプレイに表示させ、ナビゲーション手段の実行中にオーディオデータの切れ目を検出したとき、前記ナビゲーション画像上に現在再生中または再生予定のオーディオデータに関するオーディオ画像を一定期間表示する表示制御手段と、
前記表示中の前記オーディオ画像が選択されたことを検出する検出手段とを含み、
前記表示制御手段は、前記検出手段の検出に応答して前記ディスプレイにオーディオデータの検索画面を表示する、
ことを特徴とする電子システム。
【請求項２】
前記オーディオ画像は、少なくとも第１の属性データを表示する第１の表示領域と第２の属性データを表示する第２の表示領域を含み、
前記検出手段は、少なくとも第１または第２の表示領域のいずれかが選択されたことを検出し、
前記表示制御手段は、前記第１または第２の表示領域の選択に応答して第１または第２の属性データに関連する検索画面を表示する、
ことを特徴とする請求項１に記載の電子システム。
【請求項３】
電子システムにおけるナビゲーション画像上へのオーディオデータに関するオーディオ画像の表示方法であって、
ディスプレイ上にナビゲーション画像を表示するステップと、
前記オーディオデータを再生するステップと、
前記再生するオーディオデータが切り替わるたびに、前記再生中または再生予定のオーディオデータに関するオーディオ画像をナビゲーション画像上に一定期間表示するステップと、
前記表示されたオーディオ画像がユーザ入力によって選択されたとき、前記ディスプレイにオーディオデータの検索画面を表示するステップと、
を有することを特徴する表示方法。
【請求項４】
前記検索画面は、前記オーディオ画像に含まれる属性データの選択に応じて選択される、請求項３に記載の表示方法。
【請求項５】
ナビゲーション画像上にオーディオデータに関するオーディオ画像を表示可能な電子システムによって実行される表示プログラムであって、
前記電子システムに、
ディスプレイ上にナビゲーション画像を表示するステップと、
前記オーディオデータを再生するステップと、
前記再生するオーディオデータが切り替わるたびに、前記再生中または再生予定のオーディオデータに関するオーディオ画像をナビゲーション画像上に一定期間表示するステップと、
前記表示されたオーディオ画像がユーザ入力によって選択されたとき、前記ディスプレイにオーディオデータの検索画面を表示するステップと、
を実行させることを特徴とする表示プログラム。
【発明の詳細な説明】
【技術分野】
【０００１】
本発明は、ナビゲーション機能とオーディオ機能を備えた車載用電子システムに関し、特に、ナビゲーション画面中にオーディオ情報を表示する方法に関する。
【背景技術】
【０００２】
車載用電子装置として、目的地までの経路を探索したり自車位置周辺の道路地図を表示するナビゲーション装置、オーディオデータを再生するオーディオ装置、およびビデオデータを再生するビジュアル装置が利用されている。再生するデータのマルチメディア化に伴い、これらの車載用電子装置は、単体で利用するよりも、統合されたシステムとして利用することが求められている。本明細書では、ナビゲーション装置、オーディオ装置およびビジュアル装置を結合したシステムを、便宜上、ＡＶＮ(Audio Visual Navigation)システム（登録商標）と呼ぶ。
【０００３】
ＡＶＮシステムは、各々の独立していた機能を統合し、それぞれの機能から提供される様々な表示情報を１つのディスプレイで共用している。例えば、ナビゲーション機能が実行されるとき、ディスプレイには道路地図情報等が表示され、オーディオ機能が実行されるとき、ディスプレイには再生するオーディオデータに関する情報が表示される。また、ディスプレイには、ユーザインターフェースを提供するための種々の情報が表示される。
【０００４】
特許文献１は、楽曲データなどのコンテンツを提供するコンテンツ提供装置において、コンテンツ情報（楽曲データのトラック番号、再生時間など）を示した文字の透明度を調節して、文字を一定時間表示した後は自動的に消去する技術を開示している。具体的には、コンテンツの切換わり時には、コンテンツ情報を示した文字の透明度を０％にして一定時間コンテンツの情報を表示し、それを経過すると透明度を１００％にして文字を画面から消去する。
【先行技術文献】
【特許文献】
【０００５】
【特許文献１】特開２００３−２０２９４６号公報
【発明の概要】
【発明が解決しようとする課題】
【０００６】
従来のＡＶＮシステムにおいて、ナビゲーション機能を実行している最中に、オーディオ情報を表示させるには、ディスプレイの全てをナビゲーション画面からオーディオ画面に切替えたり、ディスプレイを二分割して、一方にナビゲーション画面、もう一方にオーディオ画面を表示したりしていた。しかし、このような表示態様では、オーディオ画面によりナビゲーション画面の一部が遮蔽されたり、狭くなった表示領域に合わせて道路地図のスケールを縮小して表示するため、道路案内地図が見え難くなったり、地図の視認性が低下し、ナビゲーション画面の表示機能の一部が失われるという課題がある。
【０００７】
さらに、再生する楽曲を変更したい場合には、ナビゲーション機能からオーディオ機能に切替えた後に、楽曲検索画面から希望の楽曲を探す必要があり、再生中の楽曲の属性データやメディアディバイスが反映されないので、操作が煩雑になっていた。
【０００８】
本発明は、上記従来の課題を解決し、ナビゲーション画像から容易にオーディオ情報が確認でき、さらに、より簡単な操作でオーディオデータの検索をすることができる車載用電子システム、表示方法及び表示プログラムの提供を目的とする。
【課題を解決するための手段】
【０００９】
本発明に係る電子システムは、道路案内機能を備えたナビゲーション手段と、オーディオデータを再生する機能を備えたオーディオ手段と、ディスプレイと、ナビゲーション手段の実行時にナビゲーションに必要なナビゲーション画像をディスプレイに表示させ、ナビゲーション手段の実行中にオーディオデータの切れ目を検出したとき、前記ナビゲーション画像上に現在再生中または再生予定のオーディオデータに関するオーディオ画像を一定期間表示する表示制御手段と、前記表示中の前記オーディオ画像が選択されたことを検出する検出手段とを含み、前記表示制御手段は、前記検出手段の検出に応答して前記ディスプレイにオーディオデータの検索画面を表示する。さらに本発明に係る電子システムは、道路案内機能を備えたナビゲーション手段と、テレビ放送およびラジオ放送の少なくとも１つを受信する受信手段と、ディスプレイと、ナビゲーション手段の実行時にナビゲーションに必要なナビゲーション画像をディスプレイに表示させ、ナビゲーション手段の実行中に放送番組の開始を検出したとき、前記ナビゲーション画像上に現在受信中の放送番組の内容に関する番組内容画像を一定期間表示する表示制御手段と、前記表示中の前記番組内容画像が選択されたことを検出する検出手段とを含み、前記表示制御手段は、前記検出手段の検出に応答して前記ディスプレイに放送番組の検索画面を表示する。さらに本発明に係る電子システムにおけるナビゲーション画像上へのオーディオデータに関するオーディオ画像の表示方法は、ディスプレイ上にナビゲーション画像を表示するステップと、前記オーディオデータを再生するステップと、前記再生するオーディオデータが切り替わるたびに、前記再生中または再生予定のオーディオデータに関するオーディオ画像をナビゲーション画像上に一定期間表示するステップと、前記表示されたオーディオ画像がユーザ入力によって選択されたとき、前記ディスプレイにオーディオデータの検索画面を表示するステップとを有する。さらに本発明に係る電子システムにおけるナビゲーション画像上への放送番組に関する番組内容画像の表示方法は、ディスプレイ上にナビゲーション画像を表示するステップと、テレビ放送番組およびラジオ放送番組の少なくとも１つを受信するステップと、前記放送番組が放送開始されるたびに、前記受信中の放送番組の内容に関する番組内容画像をナビゲーション画像上に一定期間表示するステップと、前記表示された番組内容画像がユーザ入力によって選択されたとき、前記ディスプレイに放送番組の検索画面を表示するステップとを有する。さらに本発明に係る表示プログラムは、ナビゲーション画像上にオーディオデータに関するオーディオ画像を表示可能な電子システムによって実行されるものであって、前記電子システムに、ディスプレイ上にナビゲーション画像を表示するステップと、前記オーディオデータを再生するステップと、前記再生するオーディオデータが切り替わるたびに、前記再生中または再生予定のオーディオデータに関するオーディオ画像をナビゲーション画像上に一定期間表示するステップと、前記表示されたオーディオ画像がユーザ入力によって選択されたとき、前記ディスプレイにオーディオデータの検索画面を表示するステップとを実行させる。さらに本発明に係る表示プログラムは、ナビゲーション画像上に放送番組に関する番組内容画像を表示可能な電子システムによって実行されるものであって、前記電子システムに、ディスプレイ上にナビゲーション画像を表示するステップと、テレビ放送番組およびラジオ放送番組の少なくとも１つを受信するステップと、前記放送番組が放送開始されるたびに、前記受信中の放送番組の内容に関する番組内容画像をナビゲーション画像上に一定期間表示するステップと、前記表示された番組内容画像がユーザ入力によって選択されたとき、前記ディスプレイに放送番組の検索画面を表示するステップとを実行させる。
【００１０】
好ましくは表示制御手段は、前記オーディオ画像を一定の時間間隔で表示し、あるいはオーディオデータの切れ目に応答してオーディオ画像を表示する。好ましくは表示制御手段は、オーディオ画像を半透明状態で表示する。好ましくは表示制御手段は、再生中または再生予定のオーディオデータから属性データを取得する属性データ取得手段と、取得された属性データに基づき前記オーディオ画像を作成する作成手段とを含む。属性データは、好ましくはジャンル、アーティスト、アルバム、タイトルの少なくとも１つを含む。
【００１１】
好ましくは表示制御手段は、ナビゲーション画像上の交差点または誘導経路と重複しない位置を決定する表示位置決定手段を含み、前記オーディオ画像は、前記表示位置決定手段により決定された位置に表示される。さらに好ましくは表示制御手段は、ナビゲーション画像と前記オーディオ画像との表示の優先度を比較する優先度比較手段を含み、表示制御手段は、優先度比較手段により表示の優先度が高いと判定されたとき前記オーディオ画像を表示する。好ましくは表示制御手段は、前記優先度比較手段によりオーディオ画像の表示が交差点案内よりも優先度が低いと判定されたとき、オーディオ画像の表示を禁止する。また、表示制御手段は、優先度比較手段によりオーディオ画像の表示がナビゲーション機能の入力画面よりも優先度が低いと判定されたとき、オーディオ画像の表示を禁止する。
【００１２】
好ましくは表示制御手段はさらに、表示中の前記オーディオ画像が選択されたことを検出する検出手段を含み、前記表示制御手段は、前記検出手段の検出に応答してディスプレイにオーディオデータの検索画面を表示する。またオーディオ画像は、少なくとも第１の属性データを表示する第１の表示領域と第２の属性データを表示する第２の表示領域を含み、検出手段は、少なくとも第１または第２の表示領域のいずれかが選択されたことを検出し、表示制御手段は、第１または第２の表示領域の選択に応答して第１または第２の属性データに関連する検索画面を表示するようにしてもよい。
【００１３】
好ましくは表示制御手段は、ナビゲーション画像の背景色に応じて前記オーディオ画像の表示色を変更することができる。車載用電子システムはさらに、テレビ放送およびラジオ放送の少なくとも１つを受信する受信手段を含み、前記オーディオ手段は、受信したテレビ放送またはラジオ放送のオーディオデータを再生し、前記表示制御手段は、前記ナビゲーション画像上に現在受信中または受信予定のオーディオデータに関するオーディオ画像を表示することができる。表示制御手段は、受信した電子番組ガイドから属性データを取得する属性データ取得手段と、前記属性データに基づき前記オーディオ画像を作成する作成手段とを含むことができる。
【００１４】
本発明に係る、車載用電子システムにおけるナビゲーション画像上へのオーディオデータに関するオーディオ画像の表示方法またはプログラムは、ディスプレイ上にナビゲーション画像を表示するステップと、オーディオデータを再生するステップと、再生中または再生予定のオーディオデータに関するオーディオ画像をナビゲーション画像上に一定期間表示するステップとを含む。好ましくは、オーディオ画像は、一定の時間間隔で繰り返し表示され、あるいは再生するオーディオデータが切り替わるたびに表示される。
【００１５】
好ましくは表示方法はさらに、前記オーディオ画像がユーザ入力によって選択されたとき、ディスプレイにオーディオデータの検索画面を表示するステップを含む。また、検索画面は、オーディオ画像に含まれる属性データの選択に応じて選択されるようにしてもよい。
【発明の効果】
【００１６】
本発明によれば、ナビゲーション画像上に表示されるオーディオ画像は所定の表示時間が経過すると自動的に消去されるので、ナビゲーション画像の障害とならず、ユーザは通常通りのナビゲーション画像を活用することができ、同時にオーディオ画像から再生中または再生予定のコンテンツ情報も確認することができる。さらに、オーディオ画像を選択すると、コンテンツ検索画面に切替わるので、従来よりも少ない操作回数でコンテンツの検索を行うことができる。
【図面の簡単な説明】
【００１７】
【図１】本発明の実施例に係る車載用電子システムの構成を示す図である。
【図２】図１に示すＡＶＮシステムの構成を示すブロック図である。
【図３】本実施例に係るポップアップ表示プログラムの機能ブロック図である。
【図４】本実施例に係るポップアップ画像の表示開始タイミングを説明する図である。
【図５】楽曲データの構成例を示す図である。
【図６】図６（ａ）は通常のポップアップ画像のフォーマットデータであり、図６（ｂ）は分割ポップアップ画像のフォーマットデータである。
【図７】ナビゲーション画像の表示の優先度をまとめたテーブルである。
【図８】本実施例に係るポップアップ画像の表示位置を示す図であり、図８（ａ）は第１と第２の交差点を直進する場合、図８（ｂ）は第１の交差点を直進し第２の交差点を右折する場合、図８（ｃ）は第１の交差点を直進し第２の交差点を左折する場合の表示位置を示す。
【図９】本実施例によるポップアップ表示の動作を説明するフローチャートである。
【図１０】図１０（ａ）はポップアップ画像が表示された状態を示し図１０（ｂ）はポップアップ画像が消去された状態を示す図である。
【図１１】本発明の第２の実施例に係るポップアップ表示プログラムの機能ブロック図である。
【図１２】本発明の第２の実施例によるポップアップ表示から楽曲検索までの動作を説明するフローチャートである。
【図１３】図１３（ａ）は楽曲検索画面、図１３（ｂ）はジャンル検索画面、図１３（ｃ）は楽曲一覧表を示す図である。
【図１４】本発明の第３の実施例によるポップアップ表示から楽曲検索までの動作を説明するフローチャートである。
【図１５】第３の実施例に係るポップアップ画像の表示例である。
【図１６】図１６（ａ）はテレビ用ポップアップ画像の表示例であり、図１６（ｂ）はＥＰＧ検索画面の例である。
【発明を実施するための形態】
【００１８】
本発明の最良の実施の形態として、車載用ＡＶＮシステムについて図面を参照して詳細に説明する。
【実施例】
【００１９】
図１は、本実施例に係る車載用電子システムの概要を示すブロック図である。ＡＶＮシステム１０は、テレビ放送やラジオ放送等を受信するアンテナ１２、システムにおいて共有されるディスプレイ１４、スピーカー１６、ユーザとのインターフェースを構成するユーザインターフェース１８を含む。ＡＶＮシステム１０は、ナビゲーション機能、オーディオ機能およびビデオ機能を含み、これらの機能を統括する。
【００２０】
図２は、図１に示すＡＶＮシステムの詳細な構成を示すブロック図である。ＡＶＮシステム１０は、目的地までの経路を案内する機能を備えたナビゲーション機能部２０と、オーディオデータを再生する機能を備えたオーディオ機能部３０と、ビデオデータをディスプレイに表示するビデオ機能部４０と、アンテナ１２からのテレビ放送信号やラジオ放送信号を受信する受信部５０、外部ポータブルメディア等を接続する外部インターフェース（外部Ｉ／Ｆ）６０、タッチパネルやキー入力などによりユーザの指示を入力する入力部７０、各機能を実行するために必要なプログラム及び種々のデータを記憶する記憶装置８０、スピーカーに音声信号を供給する音声出力部９０、ディスプレイに表示される画像データを供給する表示制御部１００、プログラムメモリ１１０、データメモリ１２０、各部を制御する制御部１３０を含んで構成される。
【００２１】
ナビゲーション機能部２０は、ＧＰＳ衛星や自立航法センサを利用して自車位置を算出し、自車位置周辺の道路地図データを記憶装置８０から読み出し、これと自車位置マークと併せてディスプレイに表示する。さらに、自車位置から設定した目的地までの経路を検索し、最適な誘導経路を道路地図上に表示して、目的地までの経路誘導をする。
【００２２】
オーディオ機能部３０は、ＣＤ、ＤＶＤ、半導体メモリ、ポータブルメディアデバイスおよびその他の記憶媒体、記憶されたオーディオデータ、ラジオ放送やテレビ放送に含まれるオーディオデータを再生する。
【００２３】
ビデオ機能部４０は、ＤＶＤ、半導体メモリ、ポータブルメディアデバイスおよびその他の記憶媒体に記録されたビデオデータ、テレビ放送に含まれるビデオデータを再生する。
【００２４】
プログラムメモリ１１０は、それ自身がプログラムを格納したり、あるいは記憶装置８０からロードされたプログラムを格納する。プログラムは、ナビゲーション機能を実行するために必要なナビゲーションプログラム１１２、オーディオデータを再生するために必要なオーディオ再生プログラム１１４、ビデオデータを再生するために必要なビデオデータ再生プログラム１１６を含む。さらに本実施例では、後述するようにナビゲーション機能が実行されているときにオーディオデータに関するオーディオ情報を含むポップアップ画像を表示するためのポップアップ表示プログラム１１６や、ポップアップ画像から楽曲の検索を行うための楽曲検索プログラム１１８等を格納する。
【００２５】
データメモリ１２０は、プログラムの実行に必要なデータを記憶する。例えば、ナビゲーション機能の実行時に自車位置周辺の道路地図データ１２２を格納したり、オーディオ機能の実行時に再生されるオーディオデータを格納したり、上記したオーディオ情報をポップアップ表示するときのフォーマットデータ１２６、ポップアップ画像に必要なポップアップ画像データ１２８を記憶する。
【００２６】
本実施例のＡＶＮシステムは、ナビゲーション機能が実行されれば、ディスプレイにナビゲーションに必要なナビゲーション画像を表示し、ナビゲーション機能が実行中にオーディオ機能が実行された場合には、ナビゲーション画面に、再生されているオーディオデータに関するオーディオ情報のポップアップ画像を表示することができる。例えば図１０（ａ）に示すように、ディスプレイに道路地図画像３００が表示中に、オーディオデータが再生されると、道路地図画像３００上に、再生されているオーディオデータに関するオーディオ情報のポップアップ画像３１０が表示される。
【００２７】
図３は、本実施例のポップアップ表示プログラム１１６の機能ブロック図である。ポップアップ表示プログラム１１６は、ポップアップ画像を表示するタイミングを決定しかつ対象となる楽曲を検出する表示開始／楽曲検出部２０１、再生中の楽曲の属性データを取得する属性データ取得部２０２、ポップアップ画像を作成するポップアップ作成部２０３、ナビゲーション画像とポップアップ画像の優先度を比較する優先度比較部２０４、ポップアップ画像の表示位置や表示時間を決定する表示態様決定部２０５を備える。
【００２８】
次に、表示開始／楽曲検出部の動作について説明する。図４（ａ）は、表示開始／楽曲検出部がオーディオデータのブランク（切れ目）を検出したときにポップアップ画像の表示を開始する例を示している。例えば、楽曲データを再生する順序に並べた再生リストＬを作成すると、各楽曲データの前後には、数秒の空白部分であるブランクＢが設けられる。表示開始／楽曲検出部２０１は、楽曲データの各々のブランクを順次検出し、当該ブランクの直後の楽曲データを検出する。例えば、表示開始／楽曲検出部２０１は、楽曲＃０１の前に設定されているブランクＢ１を検出すると、楽曲＃０１の属性データを含むポップアップ画像が表示され、次いで、楽曲＃０２の前に設定されているブランクＢ２を検出すると、楽曲＃０２の属性データを記載したポップアップ画像が表示される。
【００２９】
図４（ｂ）は、表示開始／楽曲検出部が一定の時間毎にポップアップ画像の表示を開始する例を示している。表示開始／楽曲検出部２０１は、例えばタイマーなどから受け取った一定間隔ｔの開始点Ｐ１、Ｐ２、・・・Ｐｎに応答して、その開始点に対応する楽曲データを検出する。開始点がブランクに一致するときは、ブランクの直後の楽曲データが検出され、開始点が再生中の楽曲データ上にあれば、当該楽曲データが検出される。表示開始／楽曲検出部２０１は、例えば第１の開始点Ｐ１のとき、ブランクＢ１の直後にある楽曲＃０１を検出し、これにより楽曲＃０１の属性データを含むポップアップ画像が表示される。次に、第１の開始点Ｐ１から一定時間ｔが経過した第２の開始点Ｐ２のとき、再生中の楽曲＃０１が検出され、この属性データを含むポップアップ画像が表示される。表示開始／楽曲検出部２０１は、上記図４（ａ）または（ｂ）のいずれの方法、またはそれらを併用してもよい。
【００３０】
属性データ取得部２０２は、表示開始／楽曲検出部２０１により楽曲が検出されたことに応答して、対応する楽曲データから属性データを取得する。図５は、楽曲データの構成例を示す図である。楽曲データ１２４は、楽曲そのものである本体データ１４０と、楽曲データを特徴付ける属性データ１５０を含む。属性データ１５０は、例えば、ジャンルデータ１５１、アーティストデータ１５２、アルバムデータ１５３、タイトルデータ１５４等を含む。属性データ取得部２０２は、楽曲データ１２４から取得した属性データ１５０をポップアップ作成部２０３に送付する。
【００３１】
ポップアップ作成部２０３は、記憶装置８０からフォーマットデータ１２６を読出し、その空欄部分に属性データ取得部２０２から送付された属性データ１５０を書き込みポップアップ画像データ１２８を作成する。ポップアップ画像の色調は、背景のナビゲーション画像が透けて見えるような半透明が望ましい。さらに、ナビゲーション画像の色彩が朝昼夜の時間帯や、山岳地帯や海岸線などの地形に応じて変わるのに合わせて、ポップアップ画像の色彩も変化させてもよい。例えば、夜間に、ナビゲーション画像が紺色になると、ポップアップ画像は赤や白などのコントラストのある色彩に変化する。
【００３２】
図６（ａ）は、１つのポップアップ画像に全ての属性データを書き込むポップアップ画像のフォーマット１２６Ａの例であり、図６（ｂ）は、ポップアップ画像の領域を属性データ毎に区切って表示する分割ポップアップ画像のフォーマット１２６Ｂの例である。両者は属性データを確認する場面では、大差ないが、第３の実施例で説明するように、ポップアップ画像を切替機能画像として利用する場合には、後者は楽曲の検索手順を簡易にする。
【００３３】
優先度比較部２０４は、各種ナビゲーション画像とポップアップ画像の優先度を比較し、ポップアップ画像を表示するか否かを決定する。ナビゲーション画像には、例えば広域道路地図および狭域道路地図画像、交差点案内画像、入力画像などが用意されており、道路状況に即した案内ができるようになっている。ポップアップ画像を常に表示することは、ときにナビゲーション画像の重要な情報を遮蔽しなけない。そこで、各種ナビゲーション画像に予め優先度を設定し、走行に支障をきたすような交差点案内等の表示の優先度を高くし、走行に支障がないようなナビゲーション画像の優先度を低くする。
【００３４】
図７は、各種ナビゲーション画像の優先度をまとめたテーブルである。例えば、優先度が「高度」は、ナビゲーション画像がポップアップ画像よりも優先度が高いことを意味し、「中度」は両画像の優先度は同じでありこれはユーザにより設定または選択できることを意味し、「低度」はナビゲーション画像がポップアップ画像よりも優先度が低いことを意味する。例えば、広域地図（縮尺1/25,000以上）の誘導経路案内は、ポップアップ画像よりも優先度が低く、狭域地図（例えば縮尺1/50,000以下）の誘導経路案内、交差点案内、入力画像は、ポップアップ画像よりも優先度が高い。カメラ画像、インターチェンジ（ＩＣ）案内、料金所案内、事故多発地点案内、踏切案内、VICS情報案内画像は、ポップアップ画像と同じ優先度であり、デフォルトではこれらナビゲーション画像が優先する設定になっている。しかし、ユーザの選択に応じて優先度を変更することが可能である。
【００３５】
表示態様決定部２０５は、ポップアップ画像の表示位置と表示期間を決定する。ポップアップ画像は、自車位置、直近の交差点、進行方向を変更する交差点、誘導経路、その他のアイコン等をできるだけ遮蔽しない位置に表示するのが望ましい。
【００３６】
図８は、ポップアップ画像の表示位置を説明する図である。道路地図画像３００は、第１の交差点Ｋ１と第２の交差点Ｋ２を表示し、さらに自車位置マークＭと誘導経路Ｒも合わせて表示する。図８（ａ）は、第１の交差点Ｋ１と第２の交差点Ｋ２を直進する例であり、この場合、自車位置マークＭ、誘導経路Ｒ、交差点Ｋ１とＫ２と重複しない表示領域３０１と３０２が候補として選ばれる。そして、その表示領域の中で、他のアイコン表示と重ならない領域が最終的な表示位置として選ばれる。図８（ｂ）は、第１の交差点Ｋ１を直進し、第２の交差点Ｋ２を右折する例であり、この場合、自車位置マークＭ、交差点Ｋ１とＫ２と重複せず、誘導経路Ｒの進行方向と反対側の表示領域３０２が候補として選ばれる。図８（ｃ）は、第１の交差点Ｋ１を直進し、第２の交差点Ｋ２を左折する例であり、この場合には、自車位置マークＭ、交差点Ｋ１と重複せず、誘導経路Ｒの進行方向と反対側の表示領域３０３が候補として選ばれる。
【００３７】
表示態様決定部２０５は、ポップアップ画像の表示期間を、例えば、初期設定として３秒間に設定する。表示時間はユーザによって変更することもできるが、運転手のわき見運転を防ぐために、例えば最大でも５秒間以内に制限される。
【００３８】
次に、本実施例のＡＶＮシステムにおけるポップアップ画像の表示動作について図９のフローチャートを参照して説明する。まず、ナビゲーション機能部２０が実行され（ステップＳ１０１）、ディスプレイには自車位置周辺の道路地図等が表示される。次に、ナビゲーション機能と並行して、オーディオ機能部３０が実行され、楽曲データが再生される（ステップＳ１０２）。例えば、プレイリストやＣＤなどの媒体に含まれる複数の楽曲が一定の順番に、あるいはランダムに再生される。
【００３９】
オーディオ機能の実行に応答してポップアップ表示プログラム１１６が起動する。表示開始／楽曲検出部２０１は、プレイリストまたはＣＤなどの複数の楽曲のブランクを検出すると(ステップＳ１０３)、属性データ取得部２０２は、ブランクに続く楽曲データの属性データを読み出す（ステップＳ１０４）。読み出された属性データは、ポップアップ作成部２０３に提供され、ポップアップ作成部２０３は、フォーマットデータの空欄に属性データを書き込み、ポップアップ画像データ１２８を作成する（ステップＳ１０５）。
【００４０】
次に、優先度比較部２０４は、表示中のナビゲーション画像に設定されている優先度を検出し（ステップＳ１０６）、ポップアップ画像の優先度と比較する（ステップＳ１０７）。ポップアップ画像がナビゲーション画像よりも優先する場合（ステップＳ１０８）、表示態様決定部２０５は、ポップアップ画像の表示位置と表示期間を決定し（ステップＳ１０９）、これを受けて表示制御部１００は、ナビゲーション画像にポップアップ画像を合成してディスプレイに表示する（ステップＳ１１０）。表示態様決定部２０５は、ポップアップ画像の表示時間を計測し、決定された期間を経過したとき（ステップＳ１１１）、表示制御部１００によるポップアップ画像の表示が停止される（ステップＳ１１２）。また、ポップアップ画像よりもナビゲーション画像の表示が優先する場合には、ポップアップ画像の表示はスキップされる。
【００４１】
図１０（ａ）は、ナビゲーション画像にポップアップ画像が表示された状態を示しており、図１０（ｂ）は、ポップアップ画像が表示されていない状態を示している。
ナビゲーション機能の実行中に、オーディオ再生が行われると、図１０（ａ）に示すように、道路地図画像３００にポップアップ画像３１０が合成して表示される。ポップアップ画像３１０は、半透明状態であり、かつできるだけ道路地図に支障がない位置に表示されている。このポップアップ画像３１０は、ジャンル、アーティスト、アルバム、タイトルを表示している。
【００４２】
ポップアップ画像３１０は、一定期間表示されると、図１０（ｂ）に示すように消去される。次にポップアップ画像が表示されるのは、一定時間経過後、あるいは次の楽曲の再生に切り替わるときである。
【００４３】
次に、本発明の第２の実施例について説明する。第２の実施例は、ポップアップ画像がユーザインターフェースとして機能し、表示されたポップアップ画像をユーザが選択すると、オーディオ再生機能から楽曲検索機能に自動的に切替わることを特徴とする。
【００４４】
図１１は、第２の実施例に係るポップアップ表示プログラムの機能ブロック図である。第２の実施例は、第１の実施例の機能ブロック図に加えて、入力検出部２０６と機能切替部２０７を含む。入力検出部は、パネルタッチやキー入力等により、表示中のポップアップ画像が押下または選択されたことを検出する。機能切替部２０７は、入力検出部２０６がポップアップ画像の選択を検出すると、ディスプレイの表示をナビゲーション画面から楽曲検索画面に切替える。
【００４５】
図１２は、第２の実施例に係るポップアップ画像の表示から楽曲検索までの動作を示したフローチャートである。但し、ポップアップ画像を表示する方法は、図９に示す第１の実施例と同様なので、説明を割愛する。
【００４６】
まず、ポップアップ画像がナビゲーション画像上に表示される（ステップＳ２０１）。ポップアップ画像は、例えば図６（ａ）に示すようなフォーマットとする。入力検出部２０６は、ポップアップ画像の表示中に、ポップアップ画像が選択されたか否かを検出する（ステップＳ２０２）。ポップアップ画像の選択が検出されると、オーディオ再生プログラム１１４は、楽曲の再生を停止し（ステップＳ２０３）、楽曲検索プログラム１１８を起動させる（ステップＳ２０４）。
【００４７】
楽曲検索プログラム１１８が起動されると、機能切替部２０７は、表示制御部１００に表示画面の切替を指示し、これによりディスプレイの表示がナビゲーション画面から楽曲検索画面に切替わる（ステップＳ２０５）。
【００４８】
楽曲検索画面は、複数の属性から階層的に楽曲を選択するような画面であったり、あるいは、ポップアップ画像の属性データに関連させた検索画面とすることができる。例えば、再生中の楽曲のジャンルがロックであれば、ロックの属性を持つ楽曲の一覧が示された検索画面が表示され、あるいは再生中のアーティストの楽曲の一覧が示された検索画面が表示され、あるいは他のアルバムやプレイリストの検索画面が表示される。これにより、ユーザの検索操作が容易になる。
【００４９】
再生する楽曲が選択されると（ステップＳ２０６）、楽曲検索プログラム１１８は終了し、オーディオ再生プログラム１１４が選択された楽曲の再生を開始する（ステップＳ２０７）。機能切替部２０７は、楽曲の再生に伴い、表示制御部１００に表示画面の切替を指示し、ディスプレイの表示が楽曲検索画面からナビゲーション画面に切替る（ステップＳ２０８）。そして、第１の実施例のときと同様に、ポップアップ画像がナビゲーション画像に不連続に表示される。
【００５０】
図１３（ａ）は、楽曲検索画面３２０の表示例であり、当該検索画面３２０からジャンル検索、アーティスト検索、アルバム検索、タイトル検索を選択し、そこから所望の楽曲を検索することができる。
【００５１】
例えば、図１３（ａ）に示す楽曲検索画面３２０からジャンル検索を選択すると図１３（ｂ）に示すようにジャンル検索画面３３０が表示され、そこには、ロック、ポップス、ジャズ、クラシックなどが表記されている。次に、ジャンル検索画面３３０からロックを選択すると、図１３（ｃ）に示すようにロックに属する楽曲のタイトルを示した楽曲一覧表３４０が表示され、そこから再生する楽曲を決定する。また、楽曲一覧表に記載される楽曲が、例えば１００曲以上など大量なときには、さらにアーティスト名やアルバム名、邦楽、洋楽などの絞込条件を追加してもよい。
【００５２】
次に、本発明の第３の実施例について説明する。近年の事故発生原因として、「オーディオ操作中の前方不注意」が上位にランキングされており、より操作回数が少ない楽曲検索方法が求められている。そこで、第３の実施例では、第２の実施例よりも操作回数の少ない楽曲検索方法を開示する。
【００５３】
図１４は、第３の実施例に係るポップアップ表示から楽曲の検索までの動作を説明するフローチャートである。第１の実施例と同様にポップアップ画像がナビゲーション画像に合成して表示される（ステップＳ３０１）。ここで、ポップアップ画像は、図６（ｂ）に示すフォーマット１２６Ｂとする。フォーマット１２６Ｂを用いる場合、ポップアップ画像は、属性データ毎に分割された入力インターフェースを提供することができる。図１５は、属性データ毎に入力インターフェースをもつ分割ポップアップ画像３５０の表示例である。分割ポップアップ画像３５０は、ジャンル領域３５２、アーティスト領域３５４、アルバム領域３５６、タイトル領域３５８を含む。
【００５４】
入力検出部２０６は、表示中の分割ポップアップ画像３５０が押下または選択されたか否かを検出する（ステップＳ３０２）。選択された場合にはさらに、入力検出部２０６は、分割ポップアップ画像のどの領域が押下または選択されたかを検出し（ステップＳ３０３）、さらに、押下された領域に対応する属性データを識別する（ステップＳ３０４）。例えば、ジャンル領域３５２が選択されれば、属性データとしてジャンルを識別する。次に、楽曲の再生が停止され（ステップＳ３０５）、楽曲検索動作が開始される（ステップＳ３０６）。楽曲検索プログラム１１８は、選択された領域の属性データに基づく検索画面を表示させる。例えば、ジャンル領域が選択されれば、図１３（ｂ）に示すようなジャンル検索画面３３０を表示する。それ以後の動作は、第２の実施例と同様である。
【００５５】
次に、本発明の第４の実施例について説明する。オーディオ機能部３０が再生する楽曲データは、記憶装置８０やポータブルメディアデバイスに記憶されているものに限られず、受信部５０が受信した地上デジタルテレビ放送やラジオ放送も含む。地上デジタルテレビ放送は、従来よりも高画質、高音声な画像および音声データを提供することに加えて、電子番組ガイド（以下、ＥＰＧと称す）を提供する。車両の走行中は、ディスプレイにテレビ映像を映し出すことはできないが、音声出力は可能である。第４の実施例は、ナビゲーション画面上に、受信しているラジオ方法またはテレビ放送の番組内容に関するポップアップ画像を表示する。
【００５６】
第４の実施例において、表示開始／楽曲検出部２０１は、番組放送開始時、あるいは一定の時間間隔で、受信している番組内容に関するポップアップ画像を表示する。属性データ取得部２０２は、ＥＰＧから属性データとして放送局、番組名等を取得し、ポップアップ作成部２０３は、これら属性データを記載したテレビ用ポップアップ画像を作成する。表示態様決定部２０５は、テレビ用ポップアップ画像の表示位置と表示期間を決定すると、表示制御部１００は、ナビゲーション画像にテレビ用ポップアップ画像を表示する。図１６（ａ）は、ナビゲーション画像３００に表示されるテレビ用ポップアップ画像４００の例である。テレビ用ポップアップ画像４００には、受信中の放送局である「Ｃ局」、放送中の番組名である「ドラマＸ」が記載される。これ以外にも、放送時間帯や出演者名などを記載してもよい。テレビ用ポップアップ画像は、ナビゲーション画像上に所定期間表示されると、自動的に消去される。
【００５７】
さらに、第２のおよび第３の実施例のように、テレビ用ポップアップ画像を押下または選択すると、図１６（ｂ）に示すようなＥＰＧ検索画面４１０に切替わるようにしてもよい。ＥＰＧ検索画面４１０には、受信可能なテレビ番組の放送局、番組名などを示した一覧表が表記され、希望の番組が選択されると、放送局が切替わる。
【００５８】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００５９】
ナビゲーション画像上に表示されるポップアップ画像は、ディスプレイや背景のナビゲーション画像に応じて、その大きさ、形状、色彩等は適宜変更することができる。また、ポップアップ画像に表示される属性データは、上記実施例に限るものではく、適宜、追加しまたは変更することができる。さらにポップアップ画像には、再生している楽曲の演奏時間、演奏の残り時間、あるいは次に再生される楽曲等の情報を加えるようにしてもよい。
【符号の説明】
【００６０】
１０：ＡＶＮシステム        ２０：ナビゲーション機能部
３０：オーディオ機能部              ４０：ビデオ機能部
１００：表示制御部                  １１０：プログラムメモリ
１１６：ポップアップ表示プログラム  １１８：楽曲検索プログラム
１２０：データメモリ                １２４：楽曲データ
３００：道路地図画像
３０１、３０２、３０３：ポップアップ表示領域
３１０：ポップアップ画像            ３２０：楽曲検索画面
３３０：ジャンル検索画面            ３４０：楽曲一覧表
３５０：分割ポップアップ画像        ４００：テレビ用ポップアップ画像
４１０：ＥＰＧ検索画面
【図１】
0005599484.tif 000002
【図２】
0005599484.tif 000003
【図３】
0005599484.tif 000004
【図４】
0005599484.tif 000005
【図５】
0005599484.tif 000006
【図６】
0005599484.tif 000007
【図７】
0005599484.tif 000008
【図８】
0005599484.tif 000009
【図９】
0005599484.tif 000010
【図１０】
0005599484.tif 000011
【図１１】
0005599484.tif 000012
【図１２】
0005599484.tif 000013
【図１３】
0005599484.tif 000014
【図１４】
0005599484.tif 000015
【図１５】
0005599484.tif 000016
【図１６】
0005599484.tif 000017